(57)【要約】      （修正有）【課題】観光客に対して充分かつ魅力ある情報を発信して、観光客に満足や感動を与えることを課題とする。【解決手段】観光客に配付するチケットを介した情報発信システム１０であって、情報発信者が意図する発信情報を記憶するコンピュータ１１と、２次元バーコードを含む印刷情報２１をチケットに印刷するプリンター１２と、前記発信情報が格納されるとともに、２次元バーコード２を読み込むことによりリンクされるインターネット上の情報サイト１３と、を含む。情報サイト１３には、情報発信者が意図する発信情報として、少なくともパノラマ写真情報が格納された構成とした。【選択図】図２
2017204057.tif 000002
【特許請求の範囲】
【請求項１】
観光客に配付するチケットを介した情報発信システムであって、
情報発信者が意図する発信情報を記憶するコンピュータと、
２次元バーコードを含む印刷情報を前記チケットに印刷するプリンターと、
前記発信情報が格納されるとともに、前記２次元バーコードを読み込むことによりリンクされるインターネット上の情報サイトと、を含み、
前記情報サイトには、前記情報発信者が意図する発信情報として、少なくともパノラマ写真情報が格納されていることを特徴とする情報発信システム。
【請求項２】
前記発信情報は、パノラマ写真上に掲載される広告情報及び／又は災害時情報を含むことを特徴とする請求項１に記載の情報発信システム。
【請求項３】
前記広告情報及び／又は災害時情報は、音声情報で発信されることを特徴とする請求項１又は２に記載の情報発信システム。
【請求項４】
前記広告情報及び／又は災害時情報は、選択された言語で発信されることを特徴とする請求項１〜３のいずれかに記載の情報発信システム。
【請求項５】
観光客に配付するチケットを介した情報発信方法であって、
情報発信者が意図する発信情報をコンピュータに記憶させるとともに、インターネット上の情報サイトに格納する発信情報記憶ステップと、
２次元バーコードを含む印刷情報をチケットに印刷する印刷ステップと、
観光客が情報端末により前記２次元バーコードを読み込むことで、インターネット上の前記情報サイトに格納された前記発信情報を前記情報端末に表示させる発信情報表示ステップと、を含み
前記情報サイトには、前記情報発信者が意図する情報として、少なくともパノラマ写真情報が格納されていることを特徴とする情報発信方法。
【請求項６】
前記発信情報は、パノラマ写真上に掲載される広告情報及び／又は災害時情報を含むことを特徴とする請求項５に記載の情報発信方法。
【請求項７】
記広告情報及び／又は災害時情報は、音声情報で発信されることを特徴とする請求項６に記載の情報発信方法。
【請求項８】
前記広告情報及び／又は災害時情報は、選択された言語で発信されることを特徴とする請求項５〜７のいずれかに記載の情報発信方法。
【発明の詳細な説明】
【技術分野】
【０００１】
本発明は、観光客に魅力ある情報を発信する情報発信システム及び情報発信方法に関するものである。
【背景技術】
【０００２】
従来から、寺社や名所旧跡等の観光地で発行されるチケットには、例えば裏面に土産品等の広告が印刷されている。この広告費を観光地の観光資源保有者が得ることによりチケット代を回収する方法が一般的に行われている。観光客の方も当該広告を見てお土産購入時の参考にしたりできるので有意義であった。
【０００３】
しかしながら、一部の観光客にとっては、裏面に印刷された広告が露骨すぎて、必ずしも購入意欲に直結しないという問題があった。また、裏面に印刷された広告では、情報量が不足し観光客に満足や感動を与えられないという問題があった。
【発明の概要】
【発明が解決しようとする課題】
【０００４】
本発明は、上記問題点を解決して、観光客に対して充分かつ魅力ある情報を発信して、観光客に満足や感動を与えることを課題とする。
【課題を解決するための手段】
【０００５】
上記課題を解決するために本発明は、観光客に配付するチケットを介した情報発信システムであって、
情報発信者が意図する発信情報を記憶するコンピュータと、
２次元バーコードを含む印刷情報を前記チケットに印刷するプリンターと、
前記発信情報が格納されるとともに、前記２次元バーコードを読み込むことによりリンクされるインターネット上の情報サイトと、を含み、
前記情報サイトには、前記情報発信者が意図する発信情報として、少なくともパノラマ写真情報が格納されていることを特徴とする情報発信システムを提供するものである。
【０００６】
この構成により、パノラマ写真という３６０°×１８０°の２次元平面を有する情報を発信でき、観光客に対して充分かつ魅力ある情報を発信して、観光客に満足や感動を与えることができる。
【０００７】
前記発信情報は、パノラマ写真上に掲載される広告情報及び／又は災害時情報を含むように構成してもよい。
【０００８】
この構成により、３６０°×１８０°の全方位を撮影した２次元平面により多くの情報（文字情報等）を掲載することが可能であることから、広告主や観光客にとって有意義で充分な広告情報や災害時情報を発信することができる。
【０００９】
前記広告情報及び／又は災害時情報は、音声情報で発信されるように構成してもよい。
【００１０】
この構成により、目の不自由な観光客だけでなく、文字が読みづらい高齢者や子供に対しても正確な情報が発信でき、また一人が持つ情報端末（スマホ等）で周りの複数の観光客が発信された情報を共有できる。
【００１１】
前記広告情報及び／又は災害時情報は、選択された言語で発信されるように構成してもよい。
【００１２】
この構成により、観光客に適切な言語で情報を発信することができる。
【００１３】
また、上記課題を解決するために本発明は、観光客に配付するチケットを介した情報発信方法であって、情報発信者が意図する発信情報をコンピュータに記憶させるとともに、インターネット上の情報サイトに格納する発信情報記憶ステップと、２次元バーコードを含む印刷情報をチケットに印刷する印刷ステップと、観光客が情報端末により前記２次元バーコードを読み込むことで、インターネット上の前記情報サイトに格納された前記発信情報を前記情報端末に表示させる発信情報表示ステップと、を含み前記情報サイトには、前記情報発信者が意図する情報として、少なくともパノラマ写真情報が格納されていることを特徴とする情報発信方法を提供するものである。
【００１４】
この構成により、パノラマ写真という３６０°×１８０°の２次元平面を有する情報を発信でき、観光客に対して充分かつ魅力ある情報を発信して、観光客に満足や感動を与えることができる。
【００１５】
前記発信情報は、パノラマ写真上に掲載される広告情報及び／又は災害時情報を含むように構成してもよい。
【００１６】
この構成により、３６０°×１８０°の全方位を撮影した２次元平面により多くの情報（文字情報等）を掲載することが可能であることから、広告主や観光客にとって有意義で充分な広告情報や災害時情報を発信することができる。
【００１７】
前記広告情報及び／又は災害時情報は、音声情報で発信されるように構成してもよい。
【００１８】
この構成により、目の不自由な観光客だけでなく、文字が読みづらい高齢者や子供に対しても正確な情報が発信でき、また一人が持つ情報端末（スマホ等）で周りの複数の観光客が発信された情報を共有できる。
【００１９】
前記広告情報及び／又は災害時情報は、選択された言語で発信されるように構成してもよい。
【００２０】
この構成により、観光客に適切な言語で情報を発信することができる。
【発明の効果】
【００２１】
本発明の情報発信システム及び情報発信方法により、観光客に対して充分かつ魅力ある情報を発信して、観光客に満足や感動を与えることができる。
【図面の簡単な説明】
【００２２】
【図１】本発明の実施例１における２次元バーコードを印刷したチケットを説明する図である。
【図２】本発明の実施例１における情報発信システムを説明する図である。
【図３】本発明の実施例１における情報発信方法を説明する図である。
【発明を実施するための形態】
【実施例１】
【００２３】
本発明の実施例１について、図１〜図３を参照しながら説明する。図１は、本発明の実施例１における２次元バーコードを印刷したチケットを説明する図である。図２は、本発明の実施例１における情報発信システムを説明する図である。図３は、本発明の実施例１における情報発信方法を説明する図である。
【００２４】
（チケット）
本発明の実施例１は、チケット１に印刷された２次元バーコード２を読み込むことによりパノラマ写真情報をスマホ等の情報端末１５で閲覧できるようにした情報発信システムと情報発信方法に関するものである。チケット１は、寺社仏閣、名所旧跡、動物園・植物園、テーマパーク等の観光資源保有者が発行する拝観券や入場券等のチケットであり、表面には、観光資源保有者の象徴的な風景や展示物等に加えて、拝観料や入場料等の必要事項が印刷され、その表面の左下に２次元バーコード２が印刷されている。観光客は、この観光資源保有者の窓口等でチケット１を購入して入場又は拝観を行う。チケット１の裏面は、特に限定するものではなく、観光資源保有者の意図に基づく図案等が印刷されてもよい。
【００２５】
２次元バーコード２は、ＱＲコード（登録商標）と呼ばれる２次元のコードであり、観光地毎に異なるコードを有している。これをスマホ等の情報端末１５で撮像して、入手したＵＲＬをクリックすることで、インターネット上の情報サイト１３に格納された情報を情報端末１５のディスプレイに表示させることができる。また、この際に情報端末１５に情報を取り込むことができるので、観光客が旅の思い出に持ち帰ることもできる。この情報サイト１３に観光客にとって魅力的な情報を格納しておくことにより、観光客を感動させ、また、観光客が必要とする有意義な情報を発信することができる。また、帰宅後も長く旅の想い出として情報を保存することができる。従来のチケットには、裏面に土産等の商品の広告等が印刷されているのみであり、観光客にとって満足のいくものではなかった。
【００２６】
なお、実施例１においては、２次元バーコード２を左下に印刷しているが、必ずしもこれに限定されず、チケット１の都合により適宜変更できる。例えば、右上でもよいし、裏面に印刷してもよい。また、２次元バーコード２の周囲には、これを読み込むことにより、パノラマ写真が閲覧できることを明示するとなおよい。
【００２７】
また、実施例１においては、チケット１に２次元バーコード２を印刷する構成としたが、必ずしもこれに限定されず、印刷対象は観光資源保有者の都合により適宜選択できる。例えば、パンフレットやポスターや名刺に２次元バーコード２を印刷するようにしてもよい。
【００２８】
（情報発信システム）
本発明の実施例１における情報発信システム１０について、図２を参照して説明する。情報発信システム１０は、コンピュータ１１、プリンター１２、ディスプレイ１６を有しており、コンピュータ１１は通信回線等を介して、別のコンピュータ等の情報サイト１３と接続している。情報サイト１３はインターネット１４に接続可能であり、観光客の持つ情報端末１５からアクセスして格納されている情報を情報端末１５のディスプレイに表示又は取り込ませることができる。情報端末１５からの閲覧回数は、後述する発信情報毎に計数し、コンピュータ１１に接続されているディスプレイ１６上に表示される。
【００２９】
コンピュータ１１には、観光資源を保有する観光資源保有者が前記観光客に配付するチケットの印刷情報２１、及び情報発信者が意図する発信情報２２が記憶される。印刷情報２１は、チケット１に印刷する２次元バーコード２を含む表面及び裏面の図案である。なお、裏面の印刷情報は含まれなくてもよい。発信情報２２には、少なくともパノラマ写真情報を含んでいる。パノラマ写真情報は、観光資源保有者に関係する室内外の風景や所蔵品等を３６０°×１８０°のシーンをパノラマ撮影したものであり、スマホ等の情報端末１５のディスプレイで表示させて、指の動きで拡大縮小も含めて自由自在に撮影画像を回転させて３６０°×１８０°の風景を閲覧できるものである。
【００３０】
パノラマ写真情報は、公知のパノラマ結合ソフトにより３６０°×１８０°のシーンを撮影した複数の画像を結合処理することによって、容易に作成することができる。
【００３１】
このように、パノラマ写真は、３６０°×１８０°の全方位を撮影した情報であり、広い２次元平面上の多くの情報を発信することができる。
【００３２】
コンピュータ１１に記憶された印刷情報２１は、プリンター１２により、チケット１の表面及び／又は裏面に印刷することができる。印刷情報２１には、上述のように２次元バーコード２を含んでいて同時に印刷される。プリンター１２は、インクジェット方式や乾式トナー方式等の公知のものが利用可能であるが、広告代理店の費用で印刷代を賄うことができれば、より品質のよいオフセット印刷で印刷できる。なお、２次元バーコード２は、図案等が印刷されたチケットに貼りつけるものであってもよい。
【００３３】
情報サイト１３には、コンピュータ１１から前述したパノラマ写真情報が少なくとも格納される。この情報サイト１３に格納された情報は、インターネット１４を介して、観光客の持つ情報端末１５のディスプレイに表示又は取り込ませることができる。具体的には、観光客は自分のスマホ等の情報端末１５でチケット１に印刷された２次元バーコード２を撮像してＵＲＬを読み込み、これをクリックことにより、情報サイト１３に格納されたパノラマ写真情報を情報端末１５のディスプレイに表示させる。そして、前述のように、情報端末１５からの閲覧回数を発信情報毎に計数してディスプレイ１６に表示する。
【００３４】
なお、実施例１においては、コンピュータ１１に印刷情報２１、及び発信情報２２を記憶させるようにしたが、必ずしもこれに限定されず、システムの都合により、適宜選択できる。例えば、印刷情報２１及び発信情報２２をそれぞれ別々のコンピュータに記憶させるように構成してもよいし、印刷情報２１をコンピュータには記憶させず、直接、プリンターで印刷するようにしてもよい。また、実施例１においては、コンピュータ１１と情報サイト１３とを別々に構成したが、必ずしもこれに限定されず、システムの都合により適宜選択できる。例えば、情報サイト１３をコンピュータ１１に設けてもよい。
【００３５】
（情報発信方法）
本発明の実施例１における情報発信方法は、図３に示すステップで実施できる。すなわち、印刷情報記憶ステップ（図３（ａ））及び発信情報記憶ステップ（図３（ｂ））、印刷ステップ（図３（ｃ））、発信情報表示ステップ（図３（ｄ））を含んでいる。そして、発信情報表示ステップでは、パノラマ写真情報が表示される。
【００３６】
（印刷情報記憶ステップ）
図３（ａ）に示す印刷情報記憶ステップでは、広告代理店等が公知の方法で作成した印刷情報をコンピュータ１１に記憶させる。印刷情報としては、寺院の庭園や文化財の写真等と、観光地毎に異なる情報サイト１３のＵＲＬを含む２次元バーコード２を含む。また、最近、急増している外国人観光客のために、日本語の他に、英語、中国語、タイ語、韓国語等の言語毎に印刷情報を作成しコンピュータ１１に記憶してもよい。
【００３７】
印刷情報は、広告代理店が作成してもよいし、観光資源保有者が作成してもよいが、広告代理店が費用を負担して作成すると、観光資源保有者の負担が軽減される。広告代理店は情報発信者から費用を回収することができる。
【００３８】
（発信情報記憶ステップ）
図３（ｂ）に示す発信情報記憶ステップでは、情報発信者が意図する発信情報２２をコンピュータに記憶させる。情報発信者とは、上述のパノラマ写真情報を含む情報を発信する者であり、広告主、広告代理店、又は観光資源保有者がこれにあたる。実施例１においては、発信情報２２として、少なくともパノラマ写真情報がコンピュータ１１に記憶される。このパノラマ写真情報は、情報発信者が任意に選択できる。例えば、寺社の庭園シーン、文化財内部のシーン、山や海を眺める自然のシーン等が選択できる。コンピュータ１１に記憶された発信情報２２は、任意のタイミングで情報サイト１３に転送して格納される。また、この発信情報記憶ステップは、前述の印刷情報記憶ステップより先に実施してもよい。
【００３９】
発信情報も多言語で作成することができる。そして、各言語の発信情報毎に後述する閲覧人数を計数するようにしている。また、外国人観光客が自国の言語を選択して発信情報を閲覧することにより、発信情報に対する理解を向上させることができる。
【００４０】
（印刷ステップ）
図３（ｃ）に示す印刷ステップでは、前述の印刷情報ステップでコンピュータ１１に記憶された印刷情報をチケット１に印刷する。印刷は、コンピュータ１１に接続されたプリンター１２により行われる。
【００４１】
（発信情報表示ステップ）
図３（ｄ）に示す発信情報表示ステップでは、情報サイト１３に格納されている発信情報を、観光客の情報端末１５に表示させる。すなわち、情報端末１５に備わっているカメラ等でチケット１に印刷された２次元バーコード２を撮像して読み込んだＵＲＬをクリックすることにより、情報サイト１３に格納されている観光地毎（発信情報毎）の発信情報が情報端末１５のディスプレイに表示される。また、必要に応じて観光客は情報端末１５に取り込んで持ち帰ることができる。この発信情報には、少なくともパノラマ写真情報が含まれている。観光客は、表示されたパノラマ写真を閲覧しながら手でディスプレイを操作して、パノラマ写真の全周囲、上下等移動させるとともに、拡大や縮小して、シーン上の興味ある部分を閲覧することができる。
【００４２】
上述のように観光客は自分の情報端末１５に瞬時にして、訪れている寺院等の特徴的なパノラマ写真を閲覧することができる。このパノラマ写真を閲覧することで、観光客が実際には見にくい部分、例えば、天候や季節の異なる庭園の風景や、暗くて見にくい建物内部の様子を拡大して観ることが可能で、観光地に対する理解を深めることができる。また、情報端末１５に発信された情報を取り込んで持ち帰ることで、旅の思い出として長く楽しむことができる。
【００４３】
また、観光客が情報端末１５から情報サイト１３をアクセスすると、発信情報毎にコンピュータ１１がその閲覧回数を計数して記憶し、ディスプレイ１６に表示する。情報発信者や広告代理店はこの回数を見ることで閲覧人数を把握し、発信情報の良し悪しを判断するとともに、観光客の興味の度合いを測ることができる。広告代理店はこの閲覧人数を参考にして情報発信者に課金することができる。
【００４４】
このように、本発明の実施例１においては、観光客に配付するチケットを介した情報発信システムであって、
情報発信者が意図する発信情報を記憶するコンピュータと、
２次元バーコードを含む印刷情報を前記チケットに印刷するプリンターと、
前記発信情報が格納されるとともに、前記２次元バーコードを読み込むことによりリンクされるインターネット上の情報サイトと、を含み、
前記情報サイトには、前記情報発信者が意図する発信情報として、少なくともパノラマ写真情報が格納されていることを特徴とする情報発信システムにより、観光客に対して充分かつ魅力ある情報を発信して、観光客に満足や感動を与えることができる。
【００４５】
また、観光客に配付するチケットを介した情報発信方法であって、
情報発信者が意図する発信情報をコンピュータに記憶させるとともに、インターネット上の情報サイトに格納する発信情報記憶ステップと、
２次元バーコードを含む印刷情報をチケットに印刷する印刷ステップと、
観光客が情報端末により前記２次元バーコードを読み込むことで、インターネット上の前記情報サイトに格納された前記発信情報を前記情報端末に表示させる発信情報表示ステップと、を含み
前記情報サイトには、前記情報発信者が意図する情報として、少なくともパノラマ写真情報が格納されていることを特徴とする情報発信方法により、観光客に対して充分かつ魅力ある情報を発信して、観光客に満足や感動を与えることができる。
【実施例２】
【００４６】
本発明の実施例２について説明する。実施例２は、発信情報として、パノラマ写真上に広告情報が掲載される点で実施例１に対して異なっている。すなわち、情報端末１５で２次元バーコード２を読み込んでＵＲＬをクリックすると、パノラマ写真と同時に広告が情報端末１５に表示される。前述のように、パノラマ写真は、３６０°×１８０°の全方位を撮影したものであり広い２次元平面を有していることから、この２次元平面上により多くの情報（文字情報等）を掲載することが可能である。したがって今までにない充実した広告情報を発信することができる。また、パノラマ写真に企業等のロゴを表示しておき、このロゴをクリックすることによって、別の広告情報が表示されるように構成してもよい。
【００４７】
広告情報は、広告主が広告代理店に依頼して作成し、発信情報記憶ステップにて、パノラマ写真情報とともに発信情報２２としてコンピュータ１１に記憶させる。コンピュータ１１に記憶された広告情報を含む発信情報２２は、情報サイト１３に格納されて、情報端末１５からの閲覧を可能とされる。
【００４８】
ここで、広告情報は、観光客が訪れている観光地に関連するものや近くに位置するものが望ましい。また広告は１年を１２カ月で分け、１日を２４時間で分けて管理し、需要に応じた広告内容を決定する、例えば、昼時における飲食業、夕方の土産物業、夜の酒類提供業、また、梅雨時の雨具、冬の衣類、夏の花火等は需要が多いと考えられる。広告代理店は、需要に応じて広告課金を変動させることができる。
【実施例３】
【００４９】
本発明の実施例３について説明する。実施例３は、発信情報として、パノラマ写真上に災害時情報が掲載される点で実施例１に対して異なっている。すなわち、情報端末１５で２次元バーコード２を読み込み、ＵＲＬをクリックすると、パノラマ写真と災害時情報が情報端末１５に表示される。前述のように、パノラマ写真は、３６０°×１８０°の全方位を撮影したものであり広い２次元平面を有していることから、この２次元平面上により多くの情報（文字情報等）を掲載することが可能である。したがって今までにない充実した災害時情報を発信することができる。また、平常時は広告情報を情報端末１５に表示させ、災害時には災害時情報に切り替えて表示させるようにしてもよい。
【００５０】
災害時情報は、災害発生時に国や地方自治体が広告代理店に依頼して作成し、又は広告代理店が気象庁の発表により自ら作成してもよい。そして、発信情報記憶ステップにて、パノラマ写真情報とともに発信情報２２としてコンピュータ１１に記憶させる。コンピュータ１１に記憶させるタイミングは、気象庁が災害を発表したタイミングとし、この災害時情報を含む発信情報２２は、情報サイト１３に格納されて、情報端末１５からの閲覧を可能とする。
【００５１】
災害時情報は、パノラマ写真という２次元平面上に掲載した、主に災害時の災害状況、避難先、又は避難経路等に関する情報であり、災害発生場所に近い地域にある観光地にいる観光客の持つ情報端末１５に表示される。また、後述するように日本語以外の言語が選択されている場合は、当該言語で表示されるため観光客の災害時における不安を和らげることができる。
【実施例４】
【００５２】
本発明の実施例４について説明する。実施例４は、広告情報及び／又は災害時情報が、文字情報に加えて音声情報で提供される点で実施例２〜４に対して異なっている。すなわち、情報端末１５で２次元バーコード２を読み込み、ＵＲＬをクリックすると、パノラマ写真、広告及び／又は災害時情報が表示されるとともに、広告及び／又は災害時情報を情報端末１５で音声として聞くことができる。発信情報を音声情報でも提供されるため、目の不自由な観光客だけでなく、文字が読みづらい高齢者や子供に対しても正確な情報が発信でき、また一人が持つ情報端末１５で周りの複数の観光客が観光施設の音声情報をリアルタイムで共有することができる。
【００５３】
また、後述するように日本語以外の言語が選択されている場合は、当該言語で音声による情報を聞くことができる。災害発生時は、災害時情報が広告情報に優先して情報端末１５から流れるように情報サイト１３が構成されている。
【００５４】
なお、実施例４においては、広告情報及び／又は災害時情報が、文字情報に加えて音声情報でも提供されるようにしたが、必ずしもこれに限定されず、情報発信システムの都合により適宜選択できる。例えば、広告情報及び／又は災害時情報を音声情報のみで提供するようにしてもよい。
【実施例５】
【００５５】
本発明の実施例５について説明する。実施例５は、広告情報及び／又は災害時情報が多言語に指定できるように構成した点で実施例２〜４に対して異なっている。すなわち、情報端末１５で２次元バーコード２を読み込むと、まず、使用する言語毎に選択するＵＲＬが表示される。適切な言語のＵＲＬをクリックするとパノラマ写真や広告及び／又は災害時情報が表示される。又は選択された言語による音声情報で提供される。
【００５６】
なお、実施例５においては、適切な言語のＵＲＬをクリックすることにより、希望の言語を選択するようにしたが、必ずしもこれに限定されず、システムの都合により適宜選択できる。例えば、印刷情報を各言語で作成して、各言語によるチケットを印刷するようにしてもよい。この場合は、印刷されている２次元バーコード２が言語を特定するコードとしておく。そして２次元バーコード２を読み込み、ＵＲＬをクリックすると、チケット１の印刷言語による発信情報を閲覧又は音声を聞くことができる。
【００５７】
近年、観光地では外国人観光客が急増しており、適切な言語を選択することにより、有用な情報を観光客に発信することができる。特に、災害時情報は緊急性を要するため、適切な言語による情報提供が極めて大切である。
【００５８】
本発明を実施することにより、観光客にパノラマ写真を含むタイムリーな魅力ある情報を提供することができる。また、情報サイトを閲覧した観光客の人数を把握することにより広告の効果を把握できるので、効果に応じた広告課金に設定することが容易になる。このことで広告代理店は需要の高い情報に対して充分な課金をすることができるため、情報発信者らの情報料の一部でチケット代を賄えるため、品質のよいオフセット印刷でチケットを作成できる。また、文化財に対しては文化財保護のための寄付を行うことができる。
【産業上の利用可能性】
【００５９】
本発明における情報発信システム及び情報発信方法は、観光客に対して充分かつ魅力ある情報を発信する分野に広く用いることができる。
【符号の説明】
【００６０】
１：チケット    ２：２次元バーコード１０：情報発信システム    １１：コンピュータ    １２：プリンター１３：情報サイト    １４：インターネット    １５：情報端末    １６：ディスプレイ２１：印刷情報    ２２：発信情報
【図１】
2017204057.tif 000003
【図２】
2017204057.tif 000004
【図３】
2017204057.tif 000005